(57)【特許請求の範囲】
【請求項１】
フィルムの現像処理と印画紙への焼付及び現像処理とを同時に行う写真感光材料の自動現像処理装置であって、フィルムの搬送方向である一方向から他方向にかけて一列に配設され、フィルムの現像処理を行う一体形成されてなる複数の第１の処理タンクと、現像処理されたフィルムを乾燥するフィルム乾燥処理部と、前記第１の処理タンクの上方に配設され、乾燥処理されたフィルムのネガ像を一方向側に配設されたランプにより他方向側に配設された第１の反射ミラーに投影する光学ユニットと、前記第１の反射ミラーに投影されたネガ像を他方向側に配設された第２の反射ミラーに投影し、他方向側において印画紙に露光して焼き付ける露光部と、この露光部の下方に配設され、前記露光部で露光された印画紙の現像処理を行うもので、前記第１の処理タンクの配設方向とは逆方向となる印画紙の搬送方向である他方向から一方向にかけて一列に配設されると共に、前記第１の処理タンクに所定の間隔をおいて平行して配設された一体形成されてなる複数の第２の処理タンクと、各第１の処理タンク内に配設され、フィルムの搬入出を行う第１の搬送手段と、各第２の処理タンク内に配設され、印画紙の搬入出を行う第２の搬送手段と、各第１の処理タンクの上部であって第２の処理タンク側に突出した位置に配設され、各第１の搬送手段に駆動力を伝達する第１の共通駆動部と、各第２の処理タンクの上部であって第１の処理タンク側に突出した位置に配設され、各第２の搬送手段に駆動力を伝達する第２の共通駆動部と、前記第１の共通駆動部の下方で前記第１の処理タンクのうちの少なくとも１つに一体に配設された少なくとも１つの第１の廃液タンクと、前記第２の共通駆動部の下方で前記第２の処理タンクのうちの少なくとも１つに一体に配設された少なくとも１つの第２の廃液タンクと、前記第１の処理タンクと前記第１の廃液タンクとを連通する第１の廃液通路と、前記第２の処理タンクと前記第２の廃液タンクとを連通する第２の廃液通路とを備え、前記第１の処理タンク及び前記第２の処理タンクは、前記第１の廃液タンク及び前記第２の廃液タンクを介して一体形成されていることを特徴とする写真感光材料の自動現像処理装置。
【請求項２】
前記第１の処理タンクのうちの所定の隣接する処理タンクは、同一種類の処理液が連通可能に充填されるものであり、前記第１の廃液タンクは、前記隣接する処理タンクに跨って配設され、前記第１の廃液通路は、前記隣接する処理タンクのうちの少なくと１つに形成され、前記第２の処理タンクのうちの所定の隣接する処理タンクは、同一種類の処理液が連通可能に充填されるものであり、前記第２の廃液タンクは、前記隣接する処理タンクに跨って配設され、前記第２の廃液通路は、前記隣接する処理タンクのうちの少なくと１つに形成されたことを特徴とする請求項１記載の写真感光材料の自動現像処理装置。
【請求項３】
前記第１の処理タンクのうちの所定の隣接する処理タンクは、互いに異なる種類の処理液が充填されるものであり、前記第１の廃液タンクは、前記隣接する処理タンクのそれぞれに配設され、前記第１の廃液通路は、前記隣接する処理タンクのそれぞれに配設され、前記第２の処理タンクのうちの所定の隣接する処理タンクは、互いに異なる種類の処理液が充填されるものであり、前記第２の廃液タンクは、前記隣接する処理タンクのそれぞれに配設され、前記第２の廃液通路は、前記隣接する処理タンクのそれぞれに配設されたことを特徴とする請求項１記載の写真感光材料の自動現像処理装置。
【請求項４】
前記第１の処理タンクと前記第１の廃液タンクとは仕切り壁を介して連設され、前記第１の廃液通路は前記仕切り壁に形成された切欠き部からなり、前記第２の処理タンクと前記第２の廃液タンクとは仕切り壁を介して連設され、前記第２の廃液通路は前記仕切り壁に形成された切欠き部からなることを特徴とする請求項１乃至３のいずれかに記載の写真感光材料の自動現像処理装置。
【請求項５】
前記第１の廃液通路を形成する切欠き部の両側の仕切り壁には、当該切欠き部から流れ出る処理液を前記第１の廃液タンク内に導くガイド部が形成され、前記第２の廃液通路を形成する切欠き部の両側の仕切り壁には、当該切欠き部から流れ出る処理液を前記第２の廃液タンク内に導くガイド部が形成されていることを特徴とする請求項４記載の写真感光材料の自動現像処理装置。
【発明の詳細な説明】
【０００１】
【発明の属する技術分野】
本発明は、写真フィルムや印画紙等の長尺状の写真感光材料を処理タンク内に充填された処理液中を通過させることにより現像処理する写真感光材料の自動現像処理装置に関する。
【０００２】
【従来の技術】
従来、この種の写真感光材料の自動現像処理装置は、フィルムを現像処理するものでは、現像液の充填される現像処理タンク、漂白液の充填される漂白処理タンク、定着液の充填される定着処理タンク、及び安定液の充填される安定処理タンクが写真感光材料の搬送方向である上流側から下流側にかけて連設される一方、現像液の充填される現像処理サブタンク、漂白液の充填される漂白処理サブタンク、定着液の充填される定着処理サブタンク、及び安定液の充填される安定処理サブタンクが対応する処理タンクに連通した状態で並設され、対応する処理タンクとサブタンク間で処理液が循環されるように構成されている。そして、所定のサブタンクには外部から新しい処理液が補給され、所定の処理タンクからは古い処理液が外部に排出されるようになっている。
【０００３】
また、印画紙を現像処理するものでは、現像液の充填される現像処理タンク、漂白定着液の充填される漂白定着処理タンク、及び安定液の充填される安定処理タンクが写真感光材料の搬送方向である上流側から下流側にかけて連設される一方、現像液の充填される現像処理サブタンク、漂白定着液の充填される漂白定着処理サブタンク、及び安定液の充填される安定処理サブタンクが対応する処理タンクに連通した状態で並設され、対応する処理タンクとサブタンク間で処理液が循環されるように構成されている。そして、所定のサブタンクには外部から新しい処理液が補給され、所定の処理タンクからは古い処理液が外部に排出されるようになっている。
【０００４】
上記のように構成された写真感光材料の自動現像処理装置では、各処理タンク内に搬送ローラユニットが配設され、長尺状のフィルムや印画紙が各タンク内の処理液中を順に通過して上流側から下流側に搬送されることにより連続して現像処理が行われる。
【０００５】
【発明が解決しようとする課題】
上記のように構成された写真感光材料の自動現像処理装置では、処理タンクから排出される処理液をその種類に応じて個別に貯溜する独立した複数の廃液タンクを装置の周囲にセットする一方、これらの処理タンクと廃液タンクとの間に排出パイプを配設して処理タンク内の処理液が所定の廃液タンク内に排出されるようになっている。そして、各廃液タンクが満杯になると、その廃液タンクを装置から取り外して中の処理液を廃棄する等の所定の廃液処理が行われる。
【０００６】
そのため、装置の周囲に複数の廃液タンクを配設するためのスペースが必要になると共に、配管スペースも必要になって装置の小型化に制約を受ける一方、廃液タンクが満杯になると廃液タンクを装置から取り外して中の処理液を廃棄する等しなければならず、廃液処理作業が煩雑になるという問題があった。
【０００７】
従って、本発明は、小型化を可能にすると共に、廃液処理作業を簡素化することのできる写真感光材料の自動現像処理装置を提供することを目的とする。
【０００８】
【課題を解決するための手段】
上記の目的を達成するため、請求項１に係る写真感光材料の自動現像処理装置は、フィルムの現像処理と印画紙への焼付及び現像処理とを同時に行う写真感光材料の自動現像処理装置であって、フィルムの搬送方向である一方向から他方向にかけて一列に配設され、フィルムの現像処理を行う一体形成されてなる複数の第１の処理タンクと、現像処理されたフィルムを乾燥するフィルム乾燥処理部と、前記第１の処理タンクの上方に配設され、乾燥処理されたフィルムのネガ像を一方向側に配設されたランプにより他方向側に配設された第１の反射ミラーに投影する光学ユニットと、前記第１の反射ミラーに投影されたネガ像を他方向側に配設された第２の反射ミラーに投影し、他方向側において印画紙に露光して焼き付ける露光部と、この露光部の下方に配設され、前記露光部で露光された印画紙の現像処理を行うもので、前記第１の処理タンクの配設方向とは逆方向となる印画紙の搬送方向である他方向から一方向にかけて一列に配設されると共に、前記第１の処理タンクに所定の間隔をおいて平行して配設された一体形成されてなる複数の第２の処理タンクと、各第１の処理タンク内に配設され、フィルムの搬入出を行う第１の搬送手段と、各第２の処理タンク内に配設され、印画紙の搬入出を行う第２の搬送手段と、各第１の処理タンクの上部であって第２の処理タンク側に突出した位置に配設され、各第１の搬送手段に駆動力を伝達する第１の共通駆動部と、各第２の処理タンクの上部であって第１の処理タンク側に突出した位置に配設され、各第２の搬送手段に駆動力を伝達する第２の共通駆動部と、前記第１の共通駆動部の下方で前記第１の処理タンクのうちの少なくとも１つに一体に配設された少なくとも１つの第１の廃液タンクと、前記第２の共通駆動部の下方で第２の処理タンクのうちの少なくとも１つに一体に配設された少なくとも１つの第２の廃液タンクと、前記第１の処理タンクと前記第１の廃液タンクとを連通する第１の廃液通路と、前記第２の処理タンクと前記第２の廃液タンクとを連通する第２の廃液通路とを備え、前記第１の処理タンク及び前記第２の処理タンクは、前記第１の廃液タンク及び前記第２の廃液タンクを介して一体形成されていることを特徴としている。
【０００９】
上記構成によれば、第１の処理タンクで現像処理されたフィルムは乾燥され、そのフィルムのネガ像が第１,第２の反射ミラーを介して印画紙に露光され、その印画紙は第１の廃液タンク及び第２の廃液タンクを介して第１の処理タンクと一体に形成された第２の処理タンクで現像処理される。一方、第１の処理タンクから排出される処理液は、第１の処理タンクと第１の廃液タンクとを連通する第１の廃液通路を介して第１の廃液タンク内に流れ込み、その第１の廃液タンク内に貯溜されることになる。また、第２の処理タンクから排出される処理液は、第２の処理タンクと第２の廃液タンクとを連通する第２の廃液通路を介して第２の廃液タンク内に流れ込み、その第２の廃液タンク内に貯溜されることになる。
【００１０】
また、請求項２に係る写真感光材料の自動現像処理装置は、請求項１に係るものにおいて、前記第１の処理タンクのうちの所定の隣接する処理タンクは、同一種類の処理液が連通可能に充填されるものであり、前記第１の廃液タンクは、前記隣接する処理タンクに跨って配設され、前記第１の廃液通路は、前記隣接する処理タンクのうちの少なくと１つに形成され、前記第２の処理タンクのうちの所定の隣接する処理タンクは、同一種類の処理液が連通可能に充填されるものであり、前記第２の廃液タンクは、前記隣接する処理タンクに跨って配設され、前記第２の廃液通路は、前記隣接する処理タンクのうちの少なくと１つに形成されたことを特徴としている。
【００１１】
上記構成によれば、同一種類の処理液が充填される隣接する第１の処理タンクの少なくとも１つに配設された第１の廃液通路を介してその第１の処理タンクから処理液が排出され、その隣接する第１の処理タンクに跨って配設された第１の廃液タンクに内に流れ込み、その第１の廃液タンク内に貯溜されることになる。また、同一種類の処理液が充填される隣接する第２の処理タンクの少なくとも１つに配設された第２の廃液通路を介してその処理タンクから処理液が排出され、その隣接する処理タンクに跨って配設された第２の廃液タンクに内に流れ込み、その第２の廃液タンク内に貯溜されることになる。
【００１２】
また、請求項３に係る写真感光材料の自動現像処理装置は、請求項１に係るものにおいて、前記第１の処理タンクのうちの所定の隣接する処理タンクは、互いに異なる種類の処理液が充填されるものであり、前記第１の廃液タンクは、前記隣接する処理タンクのそれぞれに配設され、前記第１の廃液通路は、前記隣接する処理タンクのそれぞれに配設され、前記第２の処理タンクのうちの所定の隣接する処理タンクは、互いに異なる種類の処理液が充填されるものであり、前記第２の廃液タンクは、前記隣接する処理タンクのそれぞれに配設され、前記第２の廃液通路は、前記隣接する処理タンクのそれぞれに配設されたことを特徴としている。
【００１３】
上記構成によれば、異なる種類の処理液が充填される隣接する第１の処理タンクのそれぞれに配設された第１の廃液通路を介して各処理タンクから異なる種類の処理液が排出され、その隣接する処理タンクのそれぞれに配設された第１の廃液タンク内に流れ込み、その各廃液タンク内に貯溜されることになる。また、異なる種類の処理液が充填される隣接する第２の処理タンクのそれぞれに配設された第１,第２の廃液通路を介して各処理タンクから異なる種類の処理液が排出され、その隣接する処理タンクのそれぞれに配設された第１,第２の廃液タンク内に流れ込み、その各廃液タンク内に貯溜されることになる。
【００１４】
また、請求項４に係る写真感光材料の自動現像処理装置は、請求項１乃至３のいずれかに係るものにおいて、前記第１の処理タンクと前記第１の廃液タンクとは仕切り壁を介して連設され、前記第１の廃液通路は前記仕切り壁に形成された切欠き部からなり、前記第２の処理タンクと前記第２の廃液タンクとは仕切り壁を介して連設され、前記第２の廃液通路は前記仕切り壁に形成された切欠き部からなることを特徴としている。
【００１５】
上記構成によれば、第１の処理タンク内の処理液は、仕切り壁に形成された切欠き部を通ってその仕切り壁を介して連設された第１の廃液タンク内に流れ込み、その第１の廃液タンク内に貯溜されることになる。また、第２の処理タンク内の処理液は、仕切り壁に形成された切欠き部を通ってその仕切り壁を介して連設された第２の廃液タンク内に流れ込み、その第２の廃液タンク内に貯溜されることになる。
【００１６】
また、請求項５に係る写真感光材料の自動現像処理装置は、請求項４に係るものにおいて、前記第１の廃液通路を形成する切欠き部の両側の仕切り壁には、当該切欠き部から流れ出る処理液を前記第１の廃液タンク内に導くガイド部が形成され、前記第２の廃液通路を形成する切欠き部の両側の仕切り壁には、当該切欠き部から流れ出る処理液を前記第２の廃液タンク内に導くガイド部が形成されていることを特徴としている。
【００１７】
上記構成によれば、第１の処理タンク内の処理液は、第１の廃液通路を形成する仕切り壁に形成された切欠き部を通って排出され、その切欠き部の両側に形成されたガイド部に導かれて第１の廃液タンク内に流れ込み、その第１の廃液タンク内に貯溜されることになる。また、第２の処理タンク内の処理液は、第２の廃液通路を形成する仕切り壁に形成された切欠き部を通って排出され、その切欠き部の両側に形成されたガイド部に導かれて第２の廃液タンク内に流れ込み、その第２の廃液タンク内に貯溜されることになる。
【００１８】
【発明の実施の形態】
図１は、本発明の実施形態に係る写真感光材料の自動現像処理装置の概略構成を示す図である。この図１に示す写真感光材料の自動現像処理装置は、フィルムの現像処理と印画紙への焼付及び現像処理を同時に行うことが可能なものであり、（ａ）はフィルムを現像処理するフィルム現像処理ユニット側を示し、（ｂ）は印画紙を現像処理する印画紙現像処理ユニット側をそれぞれ示す図である。
【００１９】
図１（ａ）において、フィルム現像処理ユニット側は、下部に、長尺状の写真感光材料であるフィルムＦを装填するフィルム装填部１０と、フィルム装填部１０から引き出されるフィルムＦを現像処理するフィルム現像処理部２０と、フィルム現像処理部２０で現像されたフィルムＦを乾燥するフィルム乾燥処理部５０とを備え、上部に、フィルム乾燥処理部５０で乾燥されたフィルムＦの画像を印画紙に焼付ける露光部の光学ユニット６０を備えている。
【００２０】
フィルム装填部１０は、パトローネＰから引き出したフィルムＦを下流側に搬送する搬送ローラ対１１，１２と、パトローネＰから引き出し終えたフィルムＦの後端を切断するカッタ１３とを備えている。
【００２１】
フィルム現像処理部２０は、現像液の充填される現像処理タンク２１と、漂白液の充填される漂白処理タンク２２と、定着液の充填される第１の定着処理タンク２３及び第２の定着処理タンク２４と、安定液の充填される第１の安定処理タンク２５、第２の安定処理タンク２６及び第３の安定処理タンク２７とがそれぞれ連設され、フィルムＦの搬送方向である上流側（図中の左側）から下流側（図中の右側）にかけて一列に配設されている。そして、各処理タンク２１，２２，２３，２４，２５，２６，２７内には、上下方向に配設された複数の搬送ローラ４０１からなる搬送ローラユニット４０が配設されており、フィルム装填部１０から引き出されたフィルムＦが搬送ローラユニット３８により現像液、漂白液、定着液及び安定液中を順に通過して上流側から下流側に搬送されるようになっている。
【００２２】
なお、各搬送ローラ４０１は、実際には第１，第２，第３の３つのローラが並列状に配列され、フィルムＦが第１、第２の搬送ローラ間で挟持されて処理タンク内に搬入され、第２，第３の搬送ローラ間で挟持されて処理タンクから搬出されるようになっており、また、上下方向の各搬送ローラ４０１間にはフィルムＦを案内するガイド板が配設されているが、それらの図示を省略している。このフィルム現像処理部２０の詳細な構成については後述する。
【００２３】
フィルム乾燥処理部５０は、乾燥室５１内に配設された図略のヒータと、このヒータの熱を乾燥室５１に送り込む図略のファン等を備えている。
【００２４】
光学ユニット６０は、ランプ６１、ミラートンネル６２、レンズ６３、反射ミラー６４等を備え、フィルム乾燥処理部５０で乾燥処理されたフィルムＦをミラートンネル６２とレンズ６３との間を通過させてネガ像をレンズ６３で拡大し、反射ミラー６４に投影するようになっている。なお、反射ミラー６４は、光路を９０°変更して後述する反射ミラー７５にネガ像を投影することができる位置に配設されている。また、ミラートンネル６２とレンズ６３との間を通過したフィルムＦは、搬送ローラ対６５により上方に排出されるようになっている。
【００２５】
図１（ｂ）において、印画紙現像処理ユニット側は、上部に露光部７０を備え、下部に印画紙現像処理部８０を備えている。また、図中左側の装置前部に印画紙乾燥処理部１１０を備えている。
【００２６】
露光部７０は、長尺状の印画紙ＰがローラＲに巻回されて収納されているマガジン７１と、マガジン７１から引き出された印画紙Ｐを下流側に搬送する搬送ローラ対７２と、印画紙Ｐを所定長さにカットするカッタ７３と、印画紙Ｐを吸着保持する吸着ユニット７４と、上記光学ユニット６０の反射ミラー６４で反射されてきたネガ像を吸着保持されている印画紙Ｐ上に露光して焼き付ける反射ミラー７５と、露光された印画紙Ｐを下流側の印画紙現像処理部８０に搬送する搬送ローラ対７６とを備えている。
【００２７】
印画紙現像処理部８０は、現像液の充填される現像処理タンク８１と、漂白定着液の充填される漂白定着処理タンク８２と、安定液の充填される第１の安定処理タンク８３、第２の安定処理タンク８４、第３の安定処理タンク８５及び第４の安定処理タンク８６とがそれぞれ連設され、フィルムＦの搬送方向とは逆方向となる印画紙Ｐの搬送方向である上流側（図中の右側）から下流側（図中の左側）にかけて一列に配設されている。そして、各処理タンク８１，８２，８３，８４，８５，８６内には複数の搬送ローラ９６１からなる搬送ローラユニット９６が配設されており、露光された印画紙Ｐが搬送ローラユニット９６により現像液、漂白定着液、及び安定液中を順に通過して上流側から下流側に搬送されるようになっている。なお、各搬送ローラ９６１は、実際には第１，第２，第３の３つのローラが並列状に配列され、印画紙Ｐが第１、第２の搬送ローラ間で挟持されて処理タンク内に搬入され、第２，第３の搬送ローラ間で挟持されて処理タンクから搬出されるようになっており、また、上下方向の各搬送ローラ９６１間には印画紙Ｐを案内するガイド板が配設されているが、それらの図示を省略している。この印画紙現像処理部８０の詳細な構成については後述する。
【００２８】
印画紙乾燥処理部１１０は、乾燥室１１１内に配設された図略のヒータと、このヒータの熱を乾燥室１１１内に送り込む図略のファン等を備えている。この印画紙乾燥処理部１１０を通過した印画紙Ｐは、搬送ローラ対１１２，１１３により外部に排出されるようになっている。
【００２９】
図２は、フィルム現像処理部２０と印画紙現像処理部８０の要部を示す平面図である。この図において、フィルム現像処理部２０と印画紙現像処理部８０は、一列に配設されたフィルム現像処理部２０の各処理タンク２１，２２，２３，２４，２５，２６，２７と、一列に配設された印画紙現像処理部８０の各処理タンク８１，８２，８３，８４，８５，８６とが並列状に配設されている。
【００３０】
フィルム現像処理部２０の各処理タンク２１，２２，２３，２４，２５，２６，２７は、上面開口状に形成されると共に、それぞれ仕切り壁２１１，２２１，２３１，２４１，２５１，２６１を介して連設される一方、各処理タンク２１，２２，２３，２４，２５，２６，２７の一方側（すなわち、矢印Ｘ１で示すフィルムＦの搬送方向の左側）には、現像液の充填される現像処理サブタンク２８、漂白液の充填される漂白処理サブタンク２９、定着液の充填される第１の定着処理サブタンク３０及び第２の定着処理サブタンク３１、安定液の充填される第１の安定処理サブタンク３２、第２の安定処理サブタンク３３及び第３の安定処理サブタンク３４がそれぞれ並設されている。各サブタンク２８，２９，３０，３１，３２，３３，３４は、それぞれ各処理タンク２１，２２，２３，２４，２５，２６，２７よりも底が浅くなるように構成されている。なお、処理タンク２７には、さらに仕切り壁２７１を介して漂白液酸化用タンク３５が連設されている。
【００３１】
各サブタンク２８，２９，３０，３１，３２，３３，３４は、各処理タンクと同様に上面開口状に形成されると共に、各サブタンク間に形成されている仕切り壁２８１，２９１，３０１，３１１，３２１，３３１を介して連設され、上記処理タンクと同様にフィルムＦの搬送方向である上流側から下流側にかけて一列に並べられている。
【００３２】
また、各処理タンク２１，２２，２３，２４，２５，２６，２７の他方側（すなわち、矢印Ｘ１で示すフィルムＦの搬送方向の右側）には、処理タンク２１，２２に跨がる隔壁２１３を介して現像処理タンク２１内の現像液が排出される現像廃液タンク３６、処理タンク２９，３０に跨る隔壁２２３を介して漂白処理タンク２２内の漂白液が排出される漂白廃液タンク３７、処理タンク３０，３１，３２に跨る隔壁２３３を介して第１の定着処理タンク２３内の定着液が排出される定着廃液タンク３８、処理タンク３２，３３，３４及び漂白液酸化用タンク３５に跨る隔壁２４３を介して第１の安定処理タンク２５内の安定液が排出される安定廃液タンク３９がそれぞれ並設されている。
【００３３】
印画紙現像処理部８０の各処理タンク８１，８２，８３，８４，８５，８６は、上面開口状に形成されると共に、それぞれ仕切り壁８１１，８２１，８３１，８４１，８５１を介して連設される一方、各処理タンク８１，８２，８３，８４，８５，８６の一方側（すなわち、矢印Ｘ２で示す印画紙Ｐの搬送方向の左側）には、現像液の充填される現像処理サブタンク８７、漂白定着液の充填される漂白定着処理サブタンク８８、安定液の充填される第１の安定処理サブタンク８９、第２の安定処理サブタンク９０、第３の安定処理サブタンク９１及び第４の安定処理サブタンク９２がそれぞれ並設されている。各サブタンク８７，８８，８９，９０，９１，９２は、それぞれ各処理タンク８１，８２，８３，８４，８５，８６よりも底が浅くなるように構成されている。
【００３４】
また、各サブタンク８７，８８，８９，９０，９１，９２は、各処理タンクと同様に上面開口状に形成されると共に、各サブタンク間に形成されている仕切り壁８７１，８８１，８９１，９０１，９１１を介して連設され、上記処理タンクと同様にフィルムＦの搬送方向とは逆方向となる印画紙Ｐの搬送方向である上流側から下流側にかけて一列に配設されている。
【００３５】
また、各処理タンク８１，８２，８３，８４，８５，８６の他方側（すなわち、矢印Ｘ２で示す印画紙Ｐの搬送方向の右側）には、処理タンク８１，８２に跨がる隔壁８１３を介して現像処理タンク８１内の現像液が排出される現像廃液タンク９３、処理タンク８２，８３に跨る隔壁８１４を介して漂白定着処理タンク８２内の漂白定着液が排出される漂白定着廃液タンク９４、処理タンク８３，８４，８５，８６に跨る隔壁８１５を介して第１の安定処理タンク８３内の安定液が排出される安定廃液タンク９５がそれぞれ並設されている。
【００３６】
すなわち、フィルム現像処理部２０の各廃液タンク３６，３７，３８，３９と印画紙現像処理部８０の各廃液タンク９３，９４，９５とは、フィルム現像処理部２０の一列に配設されている各処理タンク２１，２２，２３，２４，２５，２６，２７と印画紙現像処理部８０の一列に配設されている各処理タンク８１，８２，８３，８４，８５，８６との間に、互いに隣接して配設されている。また、フィルム現像処理部２０の各処理タンク２１，２２，２３，２４，２５，２６，２７、各サブタンク２８，２９，３０，３１，３２，３３，３４、及び各廃液タンク３６，３７，３８，３９と、印画紙現像処理部８０の各処理タンク８１，８２，８３，８４，８５，８６と、各サブタンク８７，８８，８９，９０，９１，９２と、各廃液タンク９３，９４，９５とは、例えば、液状の合成樹脂を金型内に流し込んで硬化させることにより一体成型して構成したものである。
【００３７】
図３は、図２のＡ−Ａ線における縦断面図である。この図に示すように、フィルム現像処理部２０の現像処理タンク２１と現像処理サブタンク２８とは互いに連通されており、処理液が現像処理タンク２１と現像処理サブタンク２８間で往来自在になっている。また、同様に、印画紙現像処理部８０の安定処理タンク８６と印画紙安定処理サブタンク９２とは互いに連通されており、処理液が安定処理タンク８６と印画紙安定処理サブタンク９２間で往来自在になっている。なお、図示はしていないが、フィルム現像処理部２０の他の各処理タンク２２，２３，２４，２５，２６，２７と他の各サブタンク２９，３０，３１，３２，３３，３４、及び印画紙現像処理部８０の他の各処理タンク８１，８２，８３，８４，８５と他の各サブタンク８７，８８，８９，９０，９１も、上記と同様に各処理タンクと各サブタンク間で各処理液が往来自在となっている。
【００３８】
また、フィルム現像処理部２０の現像処理サブタンク２８の内部には、複数の縦長スリット２８３が形成されたパイプ２８４の外周に濾過材２８５が巻き付けられてなるフィルタ２８６が縦方向に配設されており、内部の処理液がフィルタ２８６の下端に連設された供給パイプＫＰ１を介して液ポンプＥＰ１により現像処理タンク２１内の底部に供給されるようになっている。これにより、処理液が現像処理タンク２１と現像処理サブタンク２８間で循環されることになる。フィルム現像処理部２０の他の各サブタンク２９，３０，３１，３２，３３，３４の内部にも、上記と同様の構成になるフィルタ２９６，３０６，３１６，３２６，３３６，３４６（図２）が配設されており、各サブタンク内の処理液が図略の上記と同様の供給パイプＫＰ１と液ポンプＥＰ１により対応する各処理タンク２２，２３，２４，２５，２６，２７内の底部に供給されるようになっている。これにより、処理液が各処理タンク２２，２３，２４，２５，２６，２７と各サブタンク２９，３０，３１，３２，３３，３４間で循環されることになる。
【００３９】
また、印画紙側現像処理部８０の第４の安定処理サブタンク９２の内部には、複数の縦長スリット９２３が形成されたパイプ９２４の外周に濾過材９２５が巻き付けられてなるフィルタ９２６が縦方向に配設されており、内部の処理液がフィルタ９２６の下端に連設された供給パイプＫＰ２を介して液ポンプＥＰ２により第４の安定処理タンク８６内の底部に供給されるようになっている。これにより、処理液が第４の安定処理タンク８６と第４の安定処理サブタンク９２間で循環されることになる。印画紙現像処理部８０の他の各サブタンク８７，８８，８９，９０，９１の内部にも、上記と同様の構成になるフィルタ８７６，８８６，８９６，９０６，９１６（図２）が配設されており、各サブタンク内の処理液が図略の上記と同様の供給パイプＫＰ２と液ポンプＥＰ２により対応する各処理タンク８１，８２，８３，８４，８５内の底部に供給されるようになっている。これにより、処理液が各処理タンク８１，８２，８３，８４，８５と各サブタンク８７，８８，８９，９０，９１間で循環されることになる。
【００４０】
また、フィルム現像処理部２０の各サブタンク２８，２９，３０，３１，３２，３３，３４の内部、及び印画紙現像処理部８０の各サブタンク８７，８８，８９，９０，９１，９２の内部には、処理液を加熱するヒータ、処理液の温度を一定温度に維持する温度調節器の温度センサ、処理液の液面が規定値を超えたときに警告信号を出力する警報器の液位センサ等が配設されているが、それらの図示を省略している。
【００４１】
また、フィルム現像処理部２０の現像処理サブタンク２８、漂白処理サブタンク２９、第２の定着処理サブタンク３１及び第３の安定処理サブタンク３４と、印画紙現像処理部８０の現像処理サブタンク８７、漂白定着処理サブタンク８８及び第４の安定処理サブタンク９２とには、それぞれ各処理液を補給するための補給タンクや液ポンプ等からなる液補給手段を備えており、上記各サブタンクに処理液を補給するようになっているが図示を省略している。さらに、装置の長時間の使用等により各処理液が蒸発して液濃度が濃くなるため、処理液の濃度を一定に維持するための水タンクや液ポンプ等からなる水補給手段を備えているが図示を省略している。
【００４２】
また、フィルム現像処理部２０の処理タンク２１の上部には、搬送ローラユニット４０の基部４００が配設されており、その基部４００内には、処理タンク２１内の各搬送ローラ４０１をチエーン等の駆動力伝達手段４０２により回転駆動させる回転伝達シャフト４０３が取り付けられている。なお、基部４００は、他の処理タンク２２，２３，２４，２５，２６，２７の上部にも個別に配設されており、他の処理タンク２２，２３，２４，２５，２６，２７上部の基部４００内にもその処理タンク内の各搬送ローラ４０１を回転駆動させる回転伝達シャフト４０３が取り付けられている。この各処理タンクごとに取り付けられている回転伝達シャフト４０３は、フィルム現像処理部２０の各処理タンクと印画紙現像処理部８０の各処理タンクとの間に位置する廃液タンク３６，３７，３８，３９側にそれぞれ突出しており、その各突出した部分にウオームホイール４０４が固定されている。
【００４３】
そして、各ウオームホイール４０４は、各ウオームホイール４０４と各廃液タンク３６，３７，３８，３９間（すなわち、各処理タンクの上部側方に突出した位置）であって、各処理タンク２１，２２，２３，２４，２５，２６，２７と各廃液タンク３６，３７，３８，３９間の各仕切り壁に沿って横方向に配設された共通のラインシャフト（ウオーム）４０５に噛合されるようになっている。なお、ラインシャフト４０５の端部は、図略のモータ等からなる駆動源に接続されている。
【００４４】
また、印画紙現像処理部８０の処理タンク８６の上部には、フィルム現像処理部２０と同様に、搬送ローラユニット９６の基部９６０が配設されており、その基部９６０内には、処理タンク８６内の各搬送ローラ９６１をチエーン等の駆動力伝達手段９６２により回転駆動させる回転伝達シャフト９６３が取り付けられている。なお、基部９６０は、他の処理タンク８１，８２，８３，８４，８５の上部にも個別に配設されており、他の処理タンク８１，８２，８３，８４，８５上部の基部９６０内にもその処理タンク内の各搬送ローラ９６１を回転駆動させる回転伝達シャフト９６３が取り付けられている。この各処理タンクごとに取り付けられている回転伝達シャフト９６３は、フィルム現像処理部２０の各処理タンクと印画紙現像処理部８０の各処理タンクとの間に位置する廃液タンク９３，９４，９５側にそれぞれ突出しており、その各突出した部分にウオームホイール９６４が固定されている。
【００４５】
そして、各ウオームホイール９６４は、各ウオームホイール９６４と各廃液タンク９３，９４，９５間（すなわち、各処理タンクの上部側方に突出した位置）であって、各処理タンク８１，８２，８３，８４，８５，８６と各廃液タンク９３，９４，９５間の各仕切り壁に沿って横方向に配設された共通のラインシャフト（ウオーム）９６５に噛合されるようになっている。このため、フィルム現像処理部２０の各廃液タンク３６，３７，３８，３９の上端は、各処理タンク２１，２２，２３，２４，２５，２６，２７の上端よりも低くなるよう構成され、同様に、印画紙現像処理部８０の各廃液タンク９３，９４，９５の上端は、各処理タンク８１，８２，８３，８４，８５，８６の上端よりも低くなるよう構成されている。なお、ラインシャフト９６５の端部は、図略のモータ等からなる駆動源に接続されている。
【００４６】
上記のように、フィルム現像処理部２０のラインシャフト４０５と、印画紙現像処理部８０のラインシャフト９６５が、各処理タンクの上部側方に突出した位置に配設されているのは、各処理タンクや各搬送ローラユニット等のメンテナンスの関係でフィルム現像処理部２０の各処理タンク内の搬送ローラユニット４０と印画紙現像処理部８０の各処理タンク内の搬送ローラユニット９６をウオームホイール４０４，９６４とラインシャフト４０５，９６５との噛合状態を解除して各処理タンク内から上方に引き出すことができるようにするためである。
【００４７】
また、フィルム現像処理部２０の廃液タンク３６の下端と、印画紙現像処理部８０の廃液タンク９５の下端とは、フィルム現像処理部２０の処理タンク２１及び印画紙現像処理部８０の処理タンク８６の下端よりも高くなるように構成されており、フィルム現像処理部２０の廃液タンク３６の底面には栓体ＳＴ１が着脱自在に取り付けられ、印画紙現像処理部８０の廃液タンク９５の底面には栓体ＳＴ２が着脱自在に取り付けられている。なお、フィルム現像処理部２０の他の廃液タンク３７，３８，３９の下端と、印画紙現像処理部８０の他の廃液タンク９３，９４の下端も、上記と同様にフィルム現像処理部２０の各処理タンク及び印画紙現像処理部８０の各処理タンクの下端よりも高くなるように構成されており、フィルム現像処理部２０の廃液タンク３７，３８，３９の底面には上記と同様の栓体ＳＴ１が着脱自在に取り付けられ、印画紙現像処理部８０の廃液タンク９３，９４の底面には上記と同様の栓体ＳＴ２が着脱自在に取り付けられている。そして、フィルム現像処理部２０の各廃液タンク３６，３７，３８，３９と印画紙現像処理部８０の各廃液タンク９３，９４，９５は、通常は栓体ＳＴ１，ＳＴ２により閉栓状態となっているが、各タンク内の廃液が満杯になったときに開栓することにより廃液が外部に排出できるようになっている。
【００４８】
図２に戻り、フィルム現像処理部２０の現像処理タンク２１と廃液タンク３６間の仕切り壁２１３の上端には、図４に詳細に示すように、仕切り壁２１３の一部を切り欠いて切欠き部ＣＰを設けることにより廃液通路２１３ａが形成されると共に、この廃液通路２１３ａの廃液タンク３６側における横方向両側には、仕切り壁２１３の上端から廃液タンク３６内の上部に亘って廃液タンク３６側に突出する一対のガイド部ＫＤ１，ＫＤ２が一体形成されている。
【００４９】
この結果、現像処理サブタンク２８内に上記した図略の液補給手段により処理液が補給されると、新しい処理液と古い処理液とが混ざり合う一方、現像処理タンク２１と現像処理サブタンク２８内の液面レベルが上昇するため、古い処理液が廃液通路２１３ａを通って廃液タンク３６側に流れ込み、一対のガイド部ＫＤ１，ＫＤ２に導かれて廃液タンク３６内に排出されることになる。
【００５０】
また、フィルム現像処理部２０の漂白処理タンク２２と廃液タンク３７間の仕切り壁２２３の上端には、図４と同様に、仕切り壁２２３の一部を切り欠いて切欠き部ＣＰを設けることにより廃液通路２２３ａが形成されると共に、この廃液通路２２３ａの廃液タンク３７側における横方向両側には、仕切り壁２２３の上端から廃液タンク３７内の上部に亘って廃液タンク３７側に突出する一対のガイド部ＫＤ１，ＫＤ２が一体形成されている。
【００５１】
この結果、漂白処理サブタンク２９内に上記した図略の液補給手段により処理液が補給されると、新しい処理液と古い処理液とが混ざり合う一方、漂白処理タンク２２と漂白処理サブタンク２９内の液面レベルが上昇するため、古い処理液が廃液通路２２３ａを通って廃液タンク３７側に流れ込み、一対のガイド部ＫＤ１，ＫＤ２に導かれて廃液タンク３７内に排出されることになる。
【００５２】
また、フィルム現像処理部２０の第１の定着処理サブタンク３０と第２の定着処理サブタンク３１間の仕切り壁３０１の上端には、仕切り壁３０１の一部を切り欠いて切欠き部を設けることにより液通路３０１ａが形成されている。また、第１の定着処理サブタンク３０と廃液タンク３８間の仕切り壁２３３の上端には、図４と同様に、仕切り壁２３３の一部を切り欠いて切欠き部ＣＰを設けることにより廃液通路２３３ａが形成されると共に、この廃液通路２３３ａの廃液タンク３８側における横方向両側には、仕切り壁２３３の上端から廃液タンク３８内の上部に亘って廃液タンク３８側に突出する一対のガイド部ＫＤ１，ＫＤ２が一体形成されている。
【００５３】
この結果、第２の定着処理サブタンク３１内に上記した図略の液補給手段により処理液が補給されると、新しい処理液と古い処理液とが混ざり合う一方、第２の定着処理タンク２４と第２の定着処理サブタンク３１内の液面レベルが上昇するため、下流側の第２の定着処理サブタンク３１内の処理液が液通路３０１ａを通って上流側の第１の定着処理サブタンク３０内に流れ込むことになる。そして、この第１の定着処理サブタンク３０内に流れ込んだ処理液は古い処理液と混ざり合う一方、古い処理液が廃液通路２３３ａを通って廃液タンク３８側に流れ込み、一対のガイド部ＫＤ１，ＫＤ２に導かれて廃液タンク３８内に排出されることになる。
【００５４】
また、フィルム現像処理部２０の第１の安定処理サブタンク３２と第２の安定処理サブタンク３３間の仕切り壁３２１の上端には、仕切り壁３２１の一部を切り欠いて切欠き部を設けることにより液通路３２１ａが形成されている。また、第２の安定処理サブタンク３３と第３の安定処理サブタンク３４間の仕切り壁３３１の上端には、仕切り壁３３１の一部を切り欠いて切欠き部を設けることにより液通路３３１ａが形成されている。また、第１の安定処理タンク２５と廃液タンク３９間の仕切り壁２４３の上端には、図４と同様に、仕切り壁２４３の一部を切り欠いて切欠き部ＣＰを設けることにより廃液通路２４３ａが形成されると共に、この廃液通路２４３ａの廃液タンク３９側における横方向両側には、仕切り壁２４３の上端から廃液タンク３９内の上部に亘って廃液タンク３９側に突出する一対のガイド部ＫＤ１，ＫＤ２が一体形成されている。
【００５５】
この結果、最下流側の第３の安定処理サブタンク２７内に上記した図略の液補給手段により処理液が補給されると、新しい処理液と古い処理液とが混ざり合う一方、第３の安定処理タンク２７と第３の安定処理サブタンク３４内の液面レベルが上昇するため、最下流側の第３の安定処理サブタンク３４内の処理液が液通路３３１ａを通って上流側の第２の安定処理サブタンク３３内に流れ込むことになる。この第２の安定処理サブタンク３３内に流れ込んだ処理液は古い処理液と混ざり合う一方、第２の安定処理タンク２６と第２の安定処理サブタンク３３内の液面レベルが上昇するため、第２の安定処理サブタンク３３内の処理液が液通路３２１ａを通って最上流側の第１の安定処理サブタンク３１内に流れ込むことになる。この流れ込んだ処理液は古い処理液と混ざり合う一方、第１の安定処理タンク２５と第１の安定処理サブタンク３２内の液面レベルが上昇するため、第１の安定処理タンク２５内の古い処理液が廃液通路２４３ａを通って廃液タンク３９側に流れ込み、一対のガイド部ＫＤ１，ＫＤ２に導かれて廃液タンク３９内に排出されることになる。
【００５６】
また、印画紙現像処理部８０の現像処理タンク８１と廃液タンク９３間の仕切り壁８１３の上端には、図４と同様に、仕切り壁８１３の一部を切り欠いて切欠き部ＣＰを設けることにより廃液通路８１３ａが形成されると共に、この廃液通路８１３ａの廃液タンク９３側における横方向両側には、仕切り壁８１３の上端から廃液タンク９３内の上部に亘って廃液タンク９３側に突出する一対のガイド部ＫＤ１，ＫＤ２が一体形成されている。
【００５７】
この結果、現像処理サブタンク８７内に上記した図略の液補給手段により処理液が補給されると、新しい処理液と古い処理液とが混ざり合う一方、現像処理タンク８１と現像処理サブタンク８７内の液面レベルが上昇するため、古い処理液が廃液通路８１３ａを通って廃液タンク９３側に流れ込み、一対のガイド部ＫＤ１，ＫＤ２に導かれて廃液タンク９３内に排出されることになる。
【００５８】
また、印画紙現像処理部８０の漂白定着処理タンク８２と廃液タンク９４間の仕切り壁８１４の上端には、図４と同様に、仕切り壁８１４の一部を切り欠いて切欠き部ＣＰを設けることにより廃液通路８１４ａが形成されると共に、この廃液通路８１４ａの廃液タンク９４側における横方向両側には、仕切り壁８１４の上端から廃液タンク９４内の上部に亘って廃液タンク９４側に突出する一対のガイド部ＫＤ１，ＫＤ２が一体形成されている。
【００５９】
この結果、漂白定着処理サブタンク８８内に上記した図略の液補給手段により処理液が補給されると、新しい処理液と古い処理液とが混ざり合う一方、漂白定着処理タンク８２と漂白定着処理サブタンク８８内の液面レベルが上昇するため、古い処理液が廃液通路８１４ａを通って廃液タンク９４側に流れ込み、一対のガイド部ＫＤ１，ＫＤ２に導かれて廃液タンク９４内に排出されることになる。
【００６０】
また、印画紙現像処理部８０の第１の安定処理サブタンク８９と第２の安定処理サブタンク９０間の仕切り壁８９１の上端には、仕切り壁８９１の一部を切り欠いて切欠き部を設けることにより液通路８９１ａが形成されている。また、第２の安定処理サブタンク９０と第３の安定処理サブタンク９１間の仕切り壁９０１の上端にも、仕切り壁９０１の一部を切り欠いて切欠き部を設けることにより液通路９０１ａが形成されている。また、第３の安定処理サブタンク９１と第４の安定処理サブタンク９２間の仕切り壁９１１の上端にも、仕切り壁９１１の一部を切り欠いて切欠き部を設けることにより液通路９１１ａが形成されている。
【００６１】
また、第１の安定処理タンク８３と廃液タンク９５間の仕切り壁８１５の上端には、図４と同様に、仕切り壁８１５の一部を切り欠いて切欠き部ＣＰを設けることにより廃液通路８１５ａが形成されると共に、この廃液通路８１５ａの廃液タンク９５側における横方向両側には、仕切り壁８１５の上端から廃液タンク９５内の上部に亘って廃液タンク９５側に突出する一対のガイド部ＫＤ１，ＫＤ２が一体形成されている。
【００６２】
この結果、最下流側の第４の安定処理サブタンク９２内に上記した図略の液補給手段により処理液が補給されると、新しい処理液と古い処理液とが混ざり合う一方、第４の安定処理タンク８６と第４の安定処理サブタンク９２内の液面レベルが上昇するため、最下流側の第４の安定処理サブタンク９２内の処理液が液通路９１１ａを通って上流側の第３の安定処理サブタンク９１内に流れ込むことになる。この第３の安定処理サブタンク９１内に流れ込んだ処理液は古い処理液と混ざり合う一方、第３の安定処理タンク８５と第３の安定処理サブタンク９１内の液面レベルが上昇するため、第３の安定処理サブタンク９１内の処理液が液通路９０１ａを通って上流側の第２の安定処理サブタンク９０内に流れ込むことになる。
【００６３】
この流れ込んだ処理液は古い処理液と混ざり合う一方、第２の安定処理タンク８４と第２の安定処理サブタンク９０内の液面レベルが上昇するため、第２の安定処理サブタンク９０内の処理液が液通路８９１ａを通って最上流側の第１の安定処理サブタンク８９内に流れ込むことになる。この流れ込んだ処理液は古い処理液と混ざり合う一方、第１の安定処理タンク８３と第１の安定処理サブタンク８９内の液面レベルが上昇するため、第１の安定処理タンク８３内の古い処理液が廃液通路８１５ａを通って廃液タンク９５側に流れ込み、一対のガイド部ＫＤ１，ＫＤ２に導かれて廃液タンク９５内に排出されることになる。
【００６４】
なお、フィルム現像処理部２０の各廃液タンク３６，３７，３８，３９の内部には、上部適所に液位センサ３６１，３７１，３８１，３９１が配設されると共に、印画紙現像処理部８０の各廃液タンク９３，９４，９５の内部には、上部適所に液位センサ９３１，９４１，９５１が配設されており、廃液がそれらの液位センサ３６１，３７１，３８１，３９１，９３１，９４１，９５１位置に達すると、警報が発せられるようになっている。
【００６５】
次に、上記のように構成された写真感光材料の自動現像処理装置の動作について説明する。なお、この写真感光材料の自動現像処理装置は、制御部やメモリ等からなる図略の制御系により全体の動作が制御されるようになっている。
【００６６】
最初に、装置全体の概略動作について説明する。まず、電源スイッチをＯＮにすると、フィルム現像処理部２０の各サブタンク２８，２９，３０，３１，３２，３３，３４内のヒータに通電されて所定の液面レベルになるように充填されている各処理液が所定の温度に加熱される一方、乾燥処理部５０のヒータに通電され、ファンの送風により乾燥室５１内が所定の温度になるように加熱される。また、印画紙現像処理部８０の各サブタンク８７，８８，８９，９０，９１，９２内のヒータに通電されて所定の液面レベルになるように充填されている各処理液が所定の温度に加熱される一方、乾燥処理部１１０のヒータに通電され、ファンの送風により乾燥室１１１内が所定の温度になるように加熱される。
【００６７】
この状態で、現像処理すべきフィルムＦをフィルム装填部１０にセットすると共に、フィルムＦの先端を搬送ローラユニット４０に係止させてスタートボタンをＯＮにすると、フィルムＦは、フィルム現像処理部２０の現像処理タンク２１内の現像液、漂白処理タンク２２内の漂白液、第１，第２の定着処理タンク２３，２４内の定着液、及び第１，第２，第３の安定処理タンク２５，２６，２７内の安定液に順に浸漬されて現像処理が行われる。現像処理の行われたフィルムＦは、乾燥処理部５０に順に搬送され、乾燥処理が行われて光学ユニット６０側に搬送される。光学ユニット６０に搬送されたフィルムＦは、ネガ像が反射ミラー６４に投影され、順に外部に排出される。すべてのフィルムＦがパトローネＰから引き出されたとき、フィルムＦの後端がカッタ１３により切断される。
【００６８】
一方、マガジン７１からは長尺状の印画紙Ｐが引き出され、反射ミラー６４に投影されたネガ像は反射されて反射ミラー７５に投影され、印画紙Ｐを露光する。そして、露光された印画紙Ｐは、カッタ７３で所定長さにカットされ、印画紙現像処理部８０の現像処理タンク８１内の現像液、漂白定着処理タンク８２内の漂白定着液、第１，第２，第３，第４の安定処理タンク８３，８４，８５，８６内の安定液に順に浸漬されて現像処理が行われる。現像処理の行われた印画紙Ｐは、乾燥処理部１１０の乾燥室１１１内に搬送されて乾燥された後、搬送ローラ対１１３により外部に排出される。
【００６９】
次に、フィルム現像処理部２０と、印画紙現像処理部８０の動作について説明する。上記のようにスタートボタンがＯＮにされると、各液ポンプＥＰ１が作動し、フィルム現像処理部２０の各処理サブタンク２８，２９，３０，３１，３２，３３，３４内の処理液が各フィルタ２８６，２９６，３０６，３１６，３２６，３３６，３４６によりごみ等の不純物が取り除かれて対応する処理タンク２１，２２，２３，２４，２５，２６，２７内に供給されることにより、各処理液は対応するサブタンクと処理タンク間を循環する。一方、図略の各補給タンクからは新しい処理液が連続的（又は間欠的）にサブタンク２８，２９，３１，３４内に供給され、これにより液面レベルが上昇することにより、処理タンク２１，２２，２３，２５からは古い処理液が対応する廃液タンク３６，３７，３８，３９内に排出される。また、漂白液の充填される処理タンク２２には漂白液酸化用タンク３５からエアーが供給されて漂白液に対する酸化処理が行われる。この結果、各処理タンク内の処理液は、常に所定の処理機能を維持したものとなる。
【００７０】
また、スタートボタンがＯＮにされると、各液ポンプＥＰ２が作動し、印画紙現像処理部８０の各処理サブタンク８７，８８，８９，９０，９１，９２内の処理液が各フィルタ８７６，８８６，８９６，９０６，９１６，９２６によりごみ等の不純物が取り除かれて対応する処理タンク８１，８２，８３，８４，８５，８６内に供給されることにより、各処理液は対応するサブタンクと処理タンク間を循環する。一方、図略の各補給タンクからは新しい処理液が連続的（又は間欠的）にサブタンク８１，８２，８６内に供給され、これにより液面レベルが上昇することにより、処理タンク８１，８２，８３からは古い処理液が対応する廃液タンク９３，９４，９５内に排出される。この結果、各処理タンク内の処理液は、常に所定の処理機能を維持したものとなる。
【００７１】
そして、フィルム現像処理部２０の各廃液タンク３６，３７，３８，３９内、及び印画紙現像処理部８０の各廃液タンク９３，９４，９５内の廃液が所定レベルに達すると警報が発せられる結果、作業者は警報の発せられた廃液タンクの栓体ＳＴ１，ＳＴ２を手等で開栓して廃液タンク内の廃液を別の容器等に移し変えた後に閉栓する。なお、栓体ＳＴ１，ＳＴ２をコック付きのものにしておくと、廃液の移し変え作業をより容易に行うことができるようになる。
【００７２】
本発明の写真感光材料の自動現像処理装置は、上記のようにフィルム現像処理部２０の各廃液タンク３６，３７，３８，３９及び印画紙現像処理部８０の廃液タンク９３，９４，９５が、搬送ローラユニット４０のラインシャフト４０５及び搬送ローラユニット９６のラインシャフト９６５が配設されているために本来ならばデッドスペースとなるフィルム現像処理部２０の各処理タンク２１，２２，２３，２４，２５，２６，２７と印画紙現像処理部８０の各処理タンク８１，８２，８３，８４，８５，８６との間に配設されているので、デッドスペースとなる空間が有効に活用でき、また、処理タンクの上端に廃液通路が設けられている結果、装置の周囲に配管スペースを設ける必要がなくなり、装置の小型化が促進されることになる。
【００７３】
また、各廃液タンクを直接、装置の設置される床上に置く必要がないので、各廃液タンクを薄型化することができ、そうした場合は装置の小型化をさらに促進することが可能となる。また、廃液処理作業時に従来のように廃液タンクを装置から取り外す必要がないので、廃液処理作業を簡素化することができる。また、フィルム現像処理部２０の各廃液タンク３６，３７，３８，３９及び印画紙現像処理部８０の廃液タンク９３，９４，９５が集中的に配設されているので、廃液タンクの集中管理が可能となり、廃液処理作業をより簡素化することができることになる。
【００７４】
さらに、上記実施形態のように、各廃液タンク３６，３７，３８，３９，９３，９４，９５を、フィルム現像処理部２０の各処理タンク２１，２２，２３，２４，２５，２６，２７と印画紙現像処理部８０の各処理タンク８１，８２，８３，８４，８５，８６間の全域に配設すると、各廃液タンクの容積を処理液の排出量に見合った大きさのものとすることができ、そのようにした場合には各廃液タンクの廃液処理作業を略同時期に行うことができるようになり、廃液処理作業の管理が容易になる。
【００７５】
本発明の写真感光材料の自動現像処理装置は、以上のように構成されるが、次のような種々の変形が可能である。
【００７６】
（１）上記実施形態では、処理タンク上端の廃液通路に処理液を廃液タンク内に導くためのガイド部ＫＤ１，ＫＤ２を形成しているが、このガイド部ＫＤ１，ＫＤ２を除去することも可能である。また、ガイド部ＫＤ１，ＫＤ２を形成する場合でも、上記実施形態のような廃液タンク側に突出する形状のものではなく、溝等の凹み状に形成したものとしてもよい。
【００７７】
（２）上記実施形態では、処理タンク２１乃至２７及び処理タンク８１乃至８６と、廃液タンク３６乃至３９及び廃液タンク９３乃至９５とをそれぞれ仕切り壁を介して一体に構成し、廃液通路２１３ａ，２２３ａ，２３３ａ，２４３ａ及び廃液通路８１３ａ，８１４ａ，８１５ａを仕切り壁の上端の一部を切り欠くことにより構成しているが、各処理タンクと各廃液タンクとを離間した状態で構成し、廃液通路を処理タンクと廃液タンクの上端に形成した切欠き部に樋状の通路部材を架け渡すことにより、処理タンク２１乃至２７及び８１乃至８６と、廃液タンク３６乃至３９及び９３乃至９５とを一体に構成するようにすることもできる。
【００７８】
（３）上記実施形態では、廃液タンク３６乃至３９及び９３乃至９５は各処理液を個別に排出することができるように処理液の種類に対応した複数のタンクから構成されているが、フィルム現像処理部と印画紙現像処理部のすべての種類の処理液を１つの廃液タンクに排出するようにしたり、フィルム現像処理部の各処理液を１つの廃液タンクに排出し、印画紙現像処理部の各処理液を別の１つの廃液タンクに排出するようにしたりすることも可能である。
【００７９】
（４）上記実施形態では、各廃液タンク３６乃至３９及び９３乃至９５ごとに１つの廃液通路２１３ａ，２２３ａ，２３３ａ，２４３ａ及び８１３ａ，８１４ａ，８１５ａが形成されるようになっているが、隣接する処理タンクが同一種類の処理液が充填されるもので廃液タンクがその隣接する処理タンクに跨って配設されている場合には、その廃液タンクには複数の処理タンクと連通する複数の廃液通路を設けるようにすることもできる。
【００８０】
（５）上記実施形態では、廃液通路２１３ａ，２２３ａ，２３３ａ，２４３ａ及び８１３ａ，８１４ａ，８１５ａは、切欠き部により形成されているが、樋状の通路部材やパイプ状の通路部材により形成することも可能である。樋状の通路部材やパイプ状の通路部材により廃液通路を構成する場合には、廃液タンクをその廃液タンクに貯溜すべき処理液が充填される処理タンクから離反した位置に配設するようにすることもできる。
【００８１】
（６）上記実施形態では、本発明の写真感光材料の現像処理装置は、フィルムの現像処理と、印画紙への焼付及び印画紙の現像処理とを同時に行うようにしたものであるが、フィルムの現像処理のみを実施する装置に適用することも可能であり、印画紙の現像処理のみを実施する装置に適用することも可能である。このような場合でも、処理タンク内の搬送ローラに駆動力を伝達するラインシャフト等の駆動部が処理タンクの上部側方に突出した位置に配設されるので、廃液タンクをラインシャフト等の駆動部の下方で処理タンクに一体に配設するようにすれば、装置の小型化が促進されることになる。
【００８２】
【発明の効果】
以上説明したように、請求項１乃至３に係る発明によれば、フィルムの搬送方向である一方向から他方向にかけて一列に配設され、フィルムの現像処理を行う一体形成されてなる複数の第１の処理タンクと、現像処理されたフィルムを乾燥するフィルム乾燥処理部と、第１の処理タンクの上方に配設され、乾燥処理されたフィルムのネガ像を一方向側に配設されたランプにより他方向側に配設された第１の反射ミラーに投影する光学ユニットと、第１の反射ミラーに投影されたネガ像を他方向側に配設された第２の反射ミラーに投影し、他方向側において印画紙に露光して焼き付ける露光部と、この露光部の下方に配設され、露光部で露光された印画紙の現像処理を行うもので、第１の処理タンクの配設方向とは逆方向となる印画紙の搬送方向である他方向から一方向にかけて一列に配設されると共に、第１の処理タンクに所定の間隔をおいて平行して配設された一体形成されてなる複数の第２の処理タンクと、各第１の処理タンク内に配設され、フィルムの搬入出を行う第１の搬送手段と、各第２の処理タンク内に配設され、印画紙の搬入出を行う第２の搬送手段と、各第１の処理タンクの上部であって第２の処理タンク側に突出した位置に配設され、各第１の搬送手段に駆動力を伝達する第１の共通駆動部と、各第２の処理タンクの上部であって第１の処理タンク側に突出した位置に配設され、各第２の搬送手段に駆動力を伝達する第２の共通駆動部と、第１の共通駆動部の下方で第１の処理タンクのうちの少なくとも１つに一体に配設された少なくとも１つの第１の廃液タンクと、第２の共通駆動部の下方で第２の処理タンクのうちの少なくとも１つに一体に配設された少なくとも１つの第２の廃液タンクと、第１の処理タンクと第１の廃液タンクとを連通する第１の廃液通路と、第２の処理タンクと第２の廃液タンクとを連通する第２の廃液通路とを備え、第１の処理タンク及び第２の処理タンクは、第１の廃液タンク及び第２の廃液タンクを介して一体形成されているので、フィルムの現像処理と印画紙の現像処理とを同時に行うことができるにもかかわらず、写真感光材料の自動現像処理装置の小型化を促進することができ、廃液処理作業を簡素化することができる。
【００８３】
また、請求項４に係る発明によれば、第１の処理タンクと第１の廃液タンクとは仕切り壁を介して連設され、第１の廃液通路は仕切り壁に形成された切欠き部から構成され、第２の処理タンクと第２の廃液タンクとは仕切り壁を介して連設され、第２の廃液通路は仕切り壁に形成された切欠き部から構成されているので、装置の構造を簡素化することができ、小型化をより促進することが可能となる。
【００８４】
また、請求項５に係る発明によれば、第１の廃液通路を形成する切欠き部の両側の仕切り壁には、当該切欠き部から流れ出る処理液を第１の廃液タンク内に導くガイド部が形成され、第２の廃液通路を形成する切欠き部の両側の仕切り壁には、当該切欠き部から流れ出る処理液を第２の廃液タンク内に導くガイド部が形成されているので、切欠き部から流れ出る第１,第２の処理タンク内の処理液を確実に第１,第２の廃液タンク内に導くことができる。
【図面の簡単な説明】
【図１】本発明の実施形態に係る写真感光材料の自動現像処理装置の概略構成を示す図で、（ａ）はフィルムを現像処理するフィルム現像処理ユニット側を示し、（ｂ）は印画紙を現像処理する印画紙現像処理ユニット側をそれぞれ示す図である。
【図２】図１に示す写真感光材料の自動現像処理装置におけるフィルム現像処理部及び印画紙現像処理部の要部平面図である。
【図３】図２に示す現像処理部のＡ−Ａ線の縦断面図である。
【図４】処理液を廃液タンクに排出するための仕切り壁に形成した廃液通路の構成を説明するための図である。
【符号の説明】
１０  フィルム装填部
２０  フィルム現像処理部
２１  現像処理タンク
２２  漂白処理タンク
２３  第１の定着処理タンク（第１の処理タンク）
２４  第２の定着処理タンク（第１の処理タンク）
２５  第１の安定処理タンク（第１の処理タンク）
２６  第２の安定処理タンク（第１の処理タンク）
２７  第３の安定処理タンク（第１の処理タンク）
３６，３７，３８，３９  廃液タンク（第１の廃液タンク）
４０  搬送ローラユニット（第１の搬送手段）
８０  印画紙現像処理部
８１  現像処理タンク（第２の処理タンク）
８２  漂白定着処理タンク（第２の処理タンク）
８３  第１の安定処理タンク（第２の処理タンク）
８４  第２の安定処理タンク（第２の処理タンク）
８５  第３の安定処理タンク（第２の処理タンク）
８６  第４の安定処理タンク（第２の処理タンク）
９３，９４，９５  廃液タンク（第２の廃液タンク）
９６  搬送ローラユニット（第２の搬送手段）
４０５  ラインシャフト（第１の共通駆動部）
９６５  ラインシャフト（第２の共通駆動部）
２１３ａ，２２３ａ，２３３ａ，２４３ａ  廃液通路（第１の廃液通路）
８１３ａ，８１４ａ，８１５ａ  廃液通路（第２の廃液通路）
２１３，２２３，２３３，２４３  仕切り壁
８１３，８１４，８１５  仕切り壁
ＫＤ１，ＫＤ２  ガイド部
ＣＰ  切欠き部
【図１】
0003613925.tif 000002
【図２】
0003613925.tif 000003
【図３】
0003613925.tif 000004
【図４】
0003613925.tif 000005